(57)【要約】【課題】作業の際に成端キャビネット内の心線の損傷を防止し、容易にかつ確実に接続作業を行うことができる光ケーブル成端キャビネットを提供する。【解決手段】ベース板上に左右対称に設置された第１及び第２接続収納部20,30と、第１と第２光ケーブルの心線を接続するべく介在する光ジャンパコード4とを有し、各接続収納部が、下層部とその開閉蓋と、上層部とその開閉蓋と、下層部内側壁に取り付けられた光アダプタとを有し、心線が下層部内にて光アダプタの裏面へ接続可能であり、光ジャンパコードの一端が上層部から取り出され光アダプタの表面の装着部へ接続可能である。【選択図】図３Ｃ
0003117982.tif 000002
【実用新案登録請求の範囲】
【請求項１】
ベース板(12)と外蓋(11)とを具備する筐体内にて第１光ケーブル(2)の心線(2a)と、第２光ケーブル(3)の心線(3a)とをそれぞれ成端させこれらの間を接続する光ケーブル成端キャビネット(1)において、
前記ベース板上の中央空間の両側に左右対称に設置された第１接続収納部(20)及び第２接続収納部(30)と、前記第１光ケーブルの心線(2a)と前記第２光ケーブルの心線(3a)とを接続するべく介在する光ジャンパコード(4)とを有し、
前記第１接続収納部(20)が、前記第１光ケーブルの心線を収納しかつ成端させるための第１下層部(20a)と、前記第１下層部を覆いかつその一方の側縁を軸として回動可能な第１下層部開閉蓋(25)と、前記第１下層部開閉蓋上に設けられ前記光ジャンパコードを収納する第１上層部(20b)と、前記第１上層部を覆いかつその一方の側縁を軸として回動可能な第１上層部開閉蓋(21)と、前記第１下層部の内側壁に取り付けられかつ表裏各面における対応する装着部同士を接続させる第１光アダプタ（23）とを有し、
前記第２接続収納部(30)が、前記第２光ケーブルの心線を収納しかつ成端させるための第２下層部(30a)と、前記第２下層部を覆いかつその一方の側縁を軸として回動可能な第２下層部開閉蓋(35)と、前記第２下層部開閉蓋上に設けられ前記光ジャンパコードを収納する第２上層部(30b)と、前記第２上層部を覆いかつその一方の側縁を軸として回動可能な第２上層部開閉蓋(31)と、前記第２下層部の内側壁に取り付けられかつ表裏各面における対応する装着部同士を接続させる第２光アダプタ（33）とを有し、
前記第１光ケーブルの心線(2a)が前記第１下層部(20a)内にて前記第１光アダプタ(23)の裏面の装着部へ接続可能であり、かつ前記光ジャンパコード(4)の一端(4a)が前記第１上層部(20b)から取り出され該第１光アダプタ(23)の表面の装着部へ接続可能であり、かつ
前記第２光ケーブルの心線(3a)が前記第２下層部(30a)内にて前記第２光アダプタ(33)の裏面の装着部へ接続可能であり、かつ前記光ジャンパコード(4)の他端(4a)が前記第２上層部(30b)から取り出され該第２光アダプタ(33)の表面の装着部へ接続可能であることを特徴とする光ケーブル成端キャビネット。
【請求項２】
前記第１下層部開閉蓋及び前記第２下層部開閉蓋の回動軸を、それぞれ内側の側縁に設けたことを特徴とする請求項１に記載の光ケーブル成端キャビネット。
【請求項３】
前記第１上層部開閉蓋及び前記第２上層部開閉蓋の回動軸を、それぞれ外側の側縁に設けたことを特徴とする請求項１または２に記載の光ケーブル成端キャビネット。
【請求項４】
前記第１下層部の内側壁及び前記第２下層部の内側壁を、下方から上方へ向かって外側へ傾斜させたことを特徴とする請求項１〜３のいずれかに記載の光ケーブル成端キャビネット。
【請求項５】
前記第１下層部内にスプリッタ(27)を設置し、前記第１光アダプタを用いて前記スプリッタと接続することを特徴とする請求項１〜４のいずれかに記載の光ケーブル成端キャビネット。
【請求項６】
前記中央空間の端部に、前記第１光ケーブルの保留心線または前記第２光ケーブルの保留心線の収納部を設けたことを特徴とする請求項１〜５のいずれかに記載の光ケーブル成端キャビネット。
【請求項７】
前記中央空間の端部に、前記光ジャンパコードの余長収納部を設けたことを特徴とする請求項１〜６のいずれかに記載の光ケーブル成端キャビネット。
【考案の詳細な説明】
【技術分野】
【０００１】
本考案は、例えば光ファイバーケーブルを構内に引き込む際に構内光ケーブルと接続するための光ケーブル成端キャビネットに関する。
【背景技術】
【０００２】
従来、光ファイバーケーブル(以下、「光ケーブル」と略称する)の光ファイバ（心線）を、他の光ケーブルと接続するために成端する成端キャビネット（すなわち成端箱）が知られている。成端キャビネットは、例えば局側からの加入者光ケーブルを構内・宅内に引き込む際に加入者光ケーブルと構内光ケーブルとの間を接続するために設置される。成端キャビネットの側部または内部には、心線をコネクタ接続可能に成端する光コネクタアダプタ（以下、「光アダプタ」と略称する）が設けられている（特許文献１、２参照）。
【０００３】
成端キャビネット内では、通常、一方の側の多数の光ケーブル（例えば局側からの加入者光ケーブル）が成端され、多数の心線が取り出されて成端され各々コネクタが取り付けられ、他方の側の光ケーブル（例えば構内光ケーブル）もまた多数の心線が取り出されて成端され各々コネクタが取り付けられ、そして、接続すべきコネクタ同士を光アダプタを介して接続していた。また、個々の顧客のための回線開通工事及び保守作業においては、接続されているコネクタ同士を切り離して別のコネクタと接続する作業や老朽化した部材を交換する作業等も頻繁に行われていた。さらに、通常、心線には余長部が確保されているためその収納部も設けられる。また、当面使用しない保留心線のある場合はその収納部も設けられる。
【０００４】
また、従来、１本の光ケーブルを分岐するスプリッタは成端キャビネットの外部に設けられることが一般的であった。
【特許文献１】特開平１０−３３２９４９号公報
【特許文献２】特開２００４−１９８７０９号公報
【考案の開示】
【考案が解決しようとする課題】
【０００５】
従来の成端キャビネットでは、その内部において双方の側からの多数の心線が輻輳しているため、接続対象の心線を速やかに見出して取り出すことが困難であった。また収納も困難であった。
さらに、回線開通工事や保守作業時に、光ケーブルの心線接続用品や接続工具が必要であった。
また、回線開通工事や保守作業の際に既存の接続された心線を引っかけ切断する故障がしばしば発生した。
さらに、心線余長部または保留心線が適切に収納されていないことから輻輳状態がさらに悪化し、誤切断を誘因していた。
このように、回線開通工事や保守作業を繰り返せば繰り返すほど成端キャビネット内の心線の輻輳状態は悪化していた。
また、スプリッタを成端キャビネットの外部に設置した場合、光ケーブルをスプリッタに引き入れ、分岐された心線を再び引き出して成端キャビネットへ引き入れるべく接続する必要があり煩雑であると同時に、スプリッタを設置するスペースも必要であった。
【０００６】
以上の現状に鑑み本考案は、回線開通工事や保守作業の際に成端キャビネット内の心線の損傷を防止し、心線の輻輳状態を改善し、容易にかつ確実に接続作業を行うことができる光ケーブル成端キャビネットを提供することを目的とする。さらに、スプリッタのための外部スペースを省いてコンパクト化できる光ケーブル成端キャビネットを提供することを目的とする。  
【課題を解決するための手段】
【０００７】
上記の目的を達成するべく本考案は以下の構成を提供する。なお、括弧内の数字は、図面中の符号である。
（１）請求項１に係る光ケーブル成端キャビネットは、ベース板(12)と外蓋(11)とを具備する筐体内にて第１光ケーブル(2)の心線(2a)と、第２光ケーブル(3)の心線(3a)とをそれぞれ成端させこれらの間を接続する光ケーブル成端キャビネット(1)において、
前記ベース板上の中央空間の両側に左右対称に設置された第１接続収納部(20)及び第２接続収納部(30)と、前記第１光ケーブルの心線(2a)と前記第２光ケーブルの心線(3a)とを接続するべく介在する光ジャンパコード(4)とを有し、
前記第１接続収納部(20)が、前記第１光ケーブルの心線を収納しかつ成端させるための第１下層部(20a)と、前記第１下層部を覆いかつその一方の側縁を軸として回動可能な第１下層部開閉蓋(25)と、前記第１下層部開閉蓋上に設けられ前記光ジャンパコードを収納する第１上層部(20b)と、前記第１上層部を覆いかつその一方の側縁を軸として回動可能な第１上層部開閉蓋(21)と、前記第１下層部の内側壁に取り付けられかつ表裏各面における対応する装着部同士を接続させる第１光アダプタ（23）とを有し、
前記第２接続収納部(30)が、前記第２光ケーブルの心線を収納しかつ成端させるための第２下層部(30a)と、前記第２下層部を覆いかつその一方の側縁を軸として回動可能な第２下層部開閉蓋(35)と、前記第２下層部開閉蓋上に設けられ前記光ジャンパコードを収納する第２上層部(30b)と、前記第２上層部を覆いかつその一方の側縁を軸として回動可能な第２上層部開閉蓋(31)と、前記第２下層部の内側壁に取り付けられかつ表裏各面における対応する装着部同士を接続させる第２光アダプタ（33）とを有し、
前記第１光ケーブルの心線(2a)が前記第１下層部(20a)内にて前記第１光アダプタ(23)の裏面の装着部へ接続可能であり、かつ前記光ジャンパコード(4)の一端(4a)が前記第１上層部(20b)から取り出され該第１光アダプタ(23)の表面の装着部へ接続可能であり、かつ
前記第２光ケーブルの心線(3a)が前記第２下層部(30a)内にて前記第２光アダプタ(33)の裏面の装着部へ接続可能であり、かつ前記光ジャンパコード(4)の他端(4a)が前記第２上層部(30b)から取り出され該第２光アダプタ(33)の表面の装着部へ接続可能であることを特徴とする。
【０００８】
（２）請求項２に係る光ケーブル成端キャビネットは、請求項１において、前記第１下層部開閉蓋及び前記第２下層部開閉蓋の回動軸を、それぞれ内側の側縁に設けたことを特徴とする。
【０００９】
（３）請求項３に係る光ケーブル成端キャビネットは、請求項１または２において、前記第１上層部開閉蓋及び前記第２上層部開閉蓋の回動軸を、それぞれ外側の側縁に設けたことを特徴とする。
【００１０】
（４）請求項４に係る光ケーブル成端キャビネットは、請求項１〜３のいずれかにおいて、前記第１下層部の内側壁及び前記第２下層部の内側壁を、下方から上方へ向かって外側へ傾斜させたことを特徴とする。
【００１１】
（５）請求項５に係る光ケーブル成端キャビネットは、請求項１〜４のいずれかにおいて、前記第１下層部内にスプリッタ(27)を設置し、前記第１光アダプタを用いて前記スプリッタと接続することを特徴とする。
【００１２】
（６）請求項６に係る光ケーブル成端キャビネットは、請求項１〜５のいずれかにおいて、前記中央空間の端部に、前記第１光ケーブルの保留心線または前記第２光ケーブルの保留心線の収納部を設けたことを特徴とする。
【００１３】
（７）請求項７に係る光ケーブル成端キャビネットは、請求項１〜６のいずれかにおいて、前記中央空間の端部に、前記光ジャンパコードの余長収納部を設けたことを特徴とする。
【考案の効果】
【００１４】
・請求項１では、互いに接続しようとする第１光ケーブルと第２光ケーブルの心線の接続収納部を筐体のベース板上に左右対称にそれぞれ設置し、各接続収納部は、心線を収納し成端させる下層部と、光ジャンパコードを収納する上層部とからなる２層構造である。下層部の内側壁には光アダプタが取り付けられ、下層部の開閉蓋の上に上層部が設けられ、上層部にも開閉蓋が設けられている。従って、下層部の開閉蓋が回動して開閉するときには、上層部も下層部の開閉蓋と一体的に回動する。
第１光ケーブルの心線を第１光アダプタに、第２光ケーブルの心線を第２光アダプタに接続し、そして第１光アダプタと第２光アダプタとを光ジャンパコードで接続することにより、心線接続用品や接続コードが不要となり、容易、迅速かつ確実に接続することができる。
下層部の蓋を開いた状態で第１光ケーブルと第２光ケーブルのそれぞれの心線を成端し、光アダプタの裏側に接続可能としているため、初期工事の際に心線の探索や確認が容易で、速やかに取り出すことができ、作業性が向上する。
また、回線開通工事及び保守作業時は、下層部の蓋を閉じ、上層部の蓋のみを開いて光ジャンパコードを接続することにより、下層部に収納された心線が下層部の蓋によって保護されるため心線を誤って損傷するおそれがない。
なお、複数の筐体の各々の接続収納部が同一直線上に位置するように、複数の筐体を縦方向に並設することができ、増設も容易に行うことができる。
【００１５】
・請求項２では、下層部の開閉蓋の回動軸を内側の側縁に設けたことにより、下層部の開閉蓋を開いて下層部内で作業する際の作業性が向上する。
【００１６】
・請求項３では、上層部の開閉蓋の回動軸を外側の側縁に設けたことにより、上層部の開閉蓋を開いて上層部内で作業する際の作業性が向上する。
【００１７】
・請求項４では、光アダプタを取り付けた下層部の内側壁を傾斜させたことにより、光ジャンパの接続作業が容易となる。
【００１８】
・請求項５では、スプリッタを下層部に設けたことにより、外付けスプリッタが不要となり配線を簡素化し、空間を節約できる。スプリッタへ接続する心線も下層部に収納されることにより、保守作業の際に誤切断されることを避けられる。
【００１９】
・請求項６では、保留心線収納部を設けたことにより誤切断されることを避けられ、輻輳状態を解消できる。
【００２０】
・請求項７では、光ジャンパーコード余長収納部を設けたことにより、輻輳状態を解消できる。  
【考案を実施するための最良の形態】
【００２１】
以下、図面を参照しつつ本考案の実施の形態を説明する。
図１は、本考案の光ケーブル成端キャビネット１の外観斜視図である。ベース板１２とこれを覆う箱形の外蓋１１とから形成される筐体内に各構成要素が収容されている。光ケーブル成端キャビネット１は、例えば、局側からの加入者光ケーブルを構内・宅内に引き込む際に加入者光ケーブルと構内光ケーブルとの間を接続するために設置される。図示の例では、加入者光ケーブルである第１光ケーブル２がキャビネット左下から引き込まれ、構内光ケーブルである第２光ケーブル３がキャビネット右下から引き出されている。第１光ケーブル２と第２光ケーブル３は、適宜の本数であり、それぞれのケーブルの心線の数も１または複数である。
【００２２】
図２は、図１の外蓋１１を取り外した光ケーブル成端キャビネット１の内部を示す正面図である。この状態は、初期工事後の通常使用の状態である。ベース板１２上の中央空間の両側に左右対称に第１接続収納部２０と、第２接続収納部３０とが設けられている。第１接続収納部２０は、第１光ケーブル２の心線を第１光アダプタ２３へ接続しかつ収納するために、上下２層構造（図面奥行き方向に２層）に形成されている。同じく第２接続収納部３０は、第２光ケーブル３の心線を第２光アダプタ３３へ接続しかつ収納するために、上下２層構造に形成されている。
【００２３】
第１光ケーブル２は、把持具１６により把持され、１または複数の心線２ａを取り出され、心線２ａは上下２層構造の第１接続収納部２０（の下層部）へと引き込まれている。図２における第１接続収納部の正面には、上層部を覆う開閉蓋２１とその蝶番２１ａ、２１ｂ、下層部の開閉蓋２５の内側縁近傍部分とその蝶番２５ａ、２５ｂと、下層部の傾斜した内側壁２３と、内側壁２３に取り付けられた光アダプタ２３、２４が現れている。開閉蓋２１は図２では閉じているが、蝶番２１ａ、２１ｂを設けた外側縁を軸として回動し開くことができる。また、図２では下層部の開閉蓋２５も閉じているが、蝶番２５ａ、２５ｂを設けた内側縁を軸として回動し開くことができる。
【００２４】
光ジャンパコード４は、第１接続収納部２０の上層部に収納されているが（波線）、上層部の内側壁（適宜の取り出し用開口部が設けられる）から先端のコネクタ４ａが取り出されて、光アダプタ２３の表面側の複数の装着部２３ａの１つへ接続されている。光ジャンパコード４の他端は、第１接続収納部２０の上層部の端部（適宜の取り出し用開口部が設けられる）から引き出されて中央空間の端部を通され、第２接続収納部３０の上層部へと引き込まれている。このような光ジャンパコード４を介して、第１光ケーブル２の心線と第２光ケーブル３の心線とが接続されることとなる。光ジャンパコード４は、必要な本数だけ設けられる。
【００２５】
光ジャンパコード４が中央空間の端部を通る中間部分において光ジャンパコード余長部処理部１３が設けられ、その中に光ジャンパコード余長部４ｂが収納されている。
【００２６】
同様に、第２光ケーブル３もまた、適宜の把持具により把持され、１または複数の心線３ａを取り出され、心線３ａは上下２層構造の第２接続収納部３０（の下層部）へと引き込まれている。図２における第２接続収納部の正面には、上層部を覆う開閉蓋３１とその蝶番３１ａ、３１ｂ、下層部の開閉蓋３５の内側縁近傍部分とその蝶番３５ａ、３５ｂと、下層部の傾斜した内側壁３３と、内側壁３３に取り付けられた光アダプタ３３が現れている。開閉蓋３１は図２では閉じているが、蝶番３１ａ、３１ｂを設けた外側縁を軸として回動し開くことができる。また、図２では下層部の開閉蓋３５も閉じているが、蝶番３５ａ、３５ｂを設けた内側縁を軸として回動し開くことができる。
【００２７】
光ジャンパコード４は、第２接続収納部３０の上層部に収納されているが（波線）、上層部の内側壁（適宜の取り出し開口部が設けられる）から先端のコネクタ４ａが取り出されて、光アダプタ３３の表面側の複数の装着部３３ａの１つへ接続されている。光ジャンパコード４の他端は、第２接続収納部３０の上層部の端部（適宜の取り出し開口部が設けられる）から引き出され、第１接続収納部２０へと向かう。
【００２８】
第２光ケーブルの心線３ａの余長部３ａ１または保留心線は、中央空間の端部に設けた保留心線収納部１５内に収納されている。中央空間の「端部」とは、図２のベース板１２上において左右方向に垂直な方向の端部（ベース板１２周縁の近傍）である。
【００２９】
図３Ａ〜図３Ｃは、光ケーブル成端キャビネットの外蓋を取り外した状態の左右方向の概略断面図であり、図３Ａは、初期工事を行う前の状態、図３Ｂは初期工事中の状態、図３Ｃは初期工事後の回線開通工事または保守作業の状態をそれぞれ示す。
【００３０】
図３Ａを参照すると、ベース板１２上の中央空間を挟んで左右対称に第１接続収納部２０と第２接続収納部３０とが設けられている。
【００３１】
図３Ａにおいて、第１接続収納部２０は、下層部２０ａと上層部２０ｂの２層構造となっている。第１接続収納部２０の下層部２０ａは、外側壁２９と傾斜した内側壁２２により囲まれた収納空間を有する。下層部２０ａ内には第１光ケーブル２の心線が取り込まれる。内側壁２２は下方から上方に向かって内側から外側に向かって傾斜している（例えば傾斜角６５度）。内側壁２２には、光アダプタ２３、２４が取り付けられている。光アダプタ２３、２４は表裏各面に複数の装着部を具備し、これらの表裏の対応する装着部同士を接続させている。光アダプタ２３の複数の装着部は、例えば図２に示したように升目状に並べて設けられている。下層部２０ａの上端面は開閉蓋２５で覆われ、その内側縁に設けた蝶番２５ａ等を軸として回動可能である。
【００３２】
なお、第１接続収納部２０の下層部２０ａ内にはスプリッタ２７を設けることが好適である。光アダプタの装着部の一部２４はスプリッタ２７との接続用に用いることができる。
【００３３】
第１接続収納部２０の上層部２０ｂは、下層部２０ａの開閉蓋２５上に設けられている。開閉蓋２５ａの外側縁から上層部２０ｂの外側壁２８ａが立設されており、開閉蓋２５ａの内側縁近傍から上層部２０ｂの内側壁２８ｂが立設されている。（但し、内側壁２８ｂには光ジャンパコードの取り出し用開口が適宜設けられる。）従って、上層部２０ｂは、下層部２０ａの開閉蓋２５と一体化されており開閉蓋２５と共に回動可能である。さらに、上層部２０ｂの上端面もまた開閉蓋２１で覆われ、その外側縁に設けた蝶番２１ａ等を軸として回動可能である。
【００３４】
同様に、図３Ａにおいて、第２接続収納部３０は、上述の第１接続収納部２０と左右対称な構成となっている。すなわち、第２接続収納部３０は、下層部３０ａと上層部３０ｂの２層構造となっている。下層部３０ａは、外側壁３９と傾斜した内側壁３２により囲まれた収納空間を有する。下層部３０ａ内には第２光ケーブル３の心線が取り込まれる。内側壁３２は下方から上方に向かって内側から外側に向かって傾斜している（例えば傾斜角６５度）。内側壁３２には、光アダプタ３３が取り付けられている。光アダプタ３３は表裏各面に複数の装着部を具備し、これらの表裏の対応する装着部同士を接続させている。光アダプタ３３の複数の装着部は、例えば図２に示したように升目状に並べて設けられている。下層部３０ａの上端面は開閉蓋３５で覆われ、その内側縁に設けた蝶番３５ａ等を軸として回動可能である。
【００３５】
第２接続収納部３０の上層部３０ｂは、下層部３０ａの開閉蓋３５上に設けられている。開閉蓋３５ａの外側縁から上層部３０ｂの外側壁３８ａが立設されており、開閉蓋３５ａの内側縁近傍から上層部３０ｂの内側壁３８ｂが立設されている。（但し、内側壁３８ｂには光ジャンパコードの取り出し用開口が適宜設けられる。）従って、上層部３０ｂは、下層部３０ａの開閉蓋３５と一体化されており開閉蓋３５と共に回動可能である。さらに、上層部３０ｂの上端面もまた開閉蓋３１で覆われ、その外側縁に設けた蝶番３１ａ等を軸として回動可能である。
【００３６】
なお、図３Ａにおいて、第１接続収納部２０及び第２接続収納部３０の端部（図３Ａの手前方向）については、光ケーブルの心線２ａ、３ａまたは光ジャンパコード４の引き込み及び取り出しに用いるため、壁に適宜の開口を設ける。
【００３７】
次に、図３Ｂは、初期工事を行うために下層部２０ａ、３０ａの開閉蓋２５、３５を開いた状態である。なお、上層部２０ｂ、３０ｂの開閉蓋２１、３１は閉じた状態である。この状態では、下層部２０ａ、３０ａの収納空間内での作業を行うことができる。
第１接続収納部２０の下層部２０ａ内では、第１光ケーブル２の心線２ａを成端したコネクタを光アダプタ２３の裏面の装着部に接続する。また、第１光ケーブル２の心線２ａの一部をスプリッタ２７へ接続し、スプリッタ２７で分岐された複数の心線を光アダプタ２４の裏面の装着部に接続する。
第２接続収納部３０の下層部３０ａ内では、第２光ケーブル３の心線３ａを成端したコネクタを光アダプタ３３の裏面の装着部に接続する。
作業後には開閉蓋２５、３５を閉じる。下層部２０ａ、３０ａにおける作業は、基本的に、初期工事においてのみ行えばよく、その後の回線開通工事及び保守作業時には下層部２０ａ、３０ａにアクセスする必要はほとんどない。
【００３８】
次に、図３Ｃは、初期工事後に適宜回線開通工事または保守作業を行うために上層部２０ｂ、３０ｂの開閉蓋２１、３１を開いた状態である。なお、初期工事の最終工程で光ジャンパコードを接続する際もこの状態で行う。図３Ｃの状態では、光ケーブル２、３の心線２ａ、３ａは開閉蓋２５、３５により保護されているので、断線等のおそれがない。この状態での作業は、光ジャンパコード４の一端のコネクタを第１接続収納部２０の光アダプタ２３、２４の表面の装着部に接続し、他端を第２接続収納部３０の光アダプタ３３の表面の装着部に接続する。作業後には開閉蓋２１、３１を閉じる。なお、回線開通工事または保守作業においては、光ジャンパコード４の追加、接続位置の変更、取り外し等を行うことができる。
【００３９】
図４は、図３Ｂの横断面図にほぼ対応する初期工事の状態の前面図である。図３Ｂでは示していないが、図４では既に１本の光ジャンパコード４が接続されている。開閉蓋２５、３５が開かれて下層部に収納された心線２ａ，３ａ、スプリッタ２７等が現れている。図示の例では、心線２ａは成端されて第１心線接続部２６に接続され、第１心線接続部２６と光アダプタ２３の裏面との間は接続用心線２ｂで接続している。同様に、心線３ａは成端されて第２心線接続部３６に接続され、第２心線接続部３６と光アダプタ３３の裏面との間は接続用心線３ｂで接続している。このような接続形態は公知である。
【００４０】
図５は、図３Ｃの横断面図にほぼ対応する保守作業状態の前面図である。図３Ｃでは示していないが、図５では既に１本の光ジャンパコード４が接続されている。開閉蓋２５、３５は閉じており、開閉蓋２１、３１が開かれて上層部に収納された光ジャンパコード４が現れている。
【図面の簡単な説明】
【００４１】
【図１】本考案の光ケーブル成端キャビネット１の外観斜視図である。
【図２】図１の外蓋１１を取り外した光ケーブル成端キャビネット１の内部を示す正面図である。
【図３Ａ】光ケーブル成端キャビネットの外蓋を取り外した状態の左右方向の概略断面図であり、初期工事を行う前の状態を示す図である。
【図３Ｂ】初期工事の作業状態を示す概略断面図である。
【図３Ｃ】初期工事後における回線開通工事または保守作業の状態を示す図である。
【図４】図３Ｂの横断面図にほぼ対応する前面図である。
【図５】図３Ｃの横断面図にほぼ対応する前面図である。
【符号の説明】
【００４２】
１  成端キャビネット
２  第１光ケーブル
２ａ  第１心線
２ｂ  第１接続用心線
３  第２光ケーブル
３ａ  第２心線
３ａ１  心線余長
３ｂ  第２接続用心線
４  光ジャンパコード
４ａ  光ジャンパコードコネクタ
４ｂ  光ジャンパコード余長
１１  外蓋
１２  ベース板
１３  光ジャンパコード余長処理部
１５  保留心線収納部
１６  第１光ケーブル把持具
２０  第１接続収納部
２０ａ  下層部
２０ｂ  上層部
２１  上層部開閉蓋
２１ａ、２１ｂ  上層部開閉蓋蝶番
２２  光アダプタ取付内側壁
２３  光アダプタ
２３ａ  コネクタ装着口
２４  スプリッタ用光アダプタ
２５  下層部開閉蓋
２６  第１心線接続部
２７  スプリッタ
２８ａ  上層部外側壁
２８ｂ  上層部内側壁
２９  下層部外側壁
３０  第２接続収納部
３０ａ  下層部
３０ｂ  上層部
３１  上層部開閉蓋
３１ａ、３１ｂ  上層部開閉蓋蝶番
３２  光アダプタ取付内側壁
３３  光アダプタ
３３ａ  コネクタ装着口
３５  下層部開閉蓋
３５ａ、３５ｂ  下層部開閉蓋蝶番
３６  第２心線接続部
３８ａ  上層部外側壁
３８ｂ  上層部内側壁
３９  下層部外側壁
【図１】
0003117982.tif 000003
【図２】
0003117982.tif 000004
【図３Ａ】
0003117982.tif 000005
【図３Ｂ】
0003117982.tif 000006
【図３Ｃ】
0003117982.tif 000007
【図４】
0003117982.tif 000008
【図５】
0003117982.tif 000009